【事件の表示】
　特願２００４−５５７３２８「ライトダイロードとダークダイロードとを組み合せたインクジェットインクセット」拒絶査定不服審判事件〔平成１６年　６月１７日国際公開、ＷＯ２００４／０５０７７８、平成１８年　３月１６日国内公表、特表２００６−５０９０７３〕について、次のとおり審決する。
【結　論】
　本件審判の請求は、成り立たない。
【理　由】
１．手続の経緯
　
　本願は、２００３年１１月２６日（パリ条約による優先権主張外国庁受理２００２年１２月３日、米国）を国際出願日とする出願であって、平成２２年９月８日付けで拒絶理由が通知され、平成２３年３月１４日付けで明細書及び特許請求の範囲が誤訳訂正書を用いて手続補正されたが、同年１１月２８日付けで拒絶査定されたものである。
　そして、本件審判は、この査定を不服として、平成２４年４月６日付けで特許請求の範囲を手続補正して請求されたものである。
　
２．補正の却下の決定
　
結　論：
　平成２４年４月６日付けの手続補正（以下、「本件補正」という。）を却下する。
　
理　由：
２−１．補正の内容と目的
　
　本件補正は、請求項１について次の補正事項を有する。
　
−補正前−
　
【請求項１】
　インクジェット印刷用のインクセットであって、低染料含有量を有するインク、および高染料含有量を有する別のインクを有しており、これらの低染料含有量のインクおよび高染料含有量のインクの色が同一色であって、該色が、マゼンタ、シアン、イエローおよびブラックからなる群から選択され、該低染料含有量のインクが、空気褪色耐性、光褪色耐性および湿り色流れ耐性の少なくとも１つを有しており、前記低染料含有量が０．１〜２．０ｗｔ％であり、前記高染料含有量が２．０〜１０．０ｗｔ％であり、前記低染料含有量がライトマゼンタ染料含有量である場合には、該ライトマゼンタ染料含有量のインクが、多価金属配位化合物染料およびこれらの混合物から選択されたものを含み、前記低染料含有量がライトイエロー染料含有量である場合には、該ライトイエロー染料含有量のインクが、Yellow Dye 1、Yellow Dye 2およびY1189から選択されたものを含み、前記低染料含有量がライトシアン染料含有量である場合には、該ライトシアン染料含有量のインクが、Cyan Dye 1から選択されたものを含む、インクジェット印刷用インクセット。
　
−補正後−
【請求項１】（審決注：下線部は補正箇所を示す。）
　インクジェット印刷用のインクセットであって、低染料含有量を有するインク、および高染料含有量を有する別のインクを有しており、これらの低染料含有量のインクおよび高染料含有量のインクの色が同一色であって、該色が、マゼンタ、シアン、イエローおよびブラックからなる群から選択され、該低染料含有量のインクが、空気褪色耐性、光褪色耐性および湿り色流れ耐性の少なくとも１つを有しており、前記低染料含有量が０．１〜２．０ｗｔ％であり、前記高染料含有量が２．０〜１０．０ｗｔ％であり、前記低染料含有量がライトマゼンタ染料含有量である場合には、該ライトマゼンタ染料含有量のインクが、
Ｎｉピリジルアゾナフトール、Ｃｕピリジルアゾナフトール、Ｎｉナフトールアゾイミダゾール、Ｎｉピリジルアゾキノリン
　
　補正後の請求項１の記載は、補正前の請求項１に記載された「多価金属配位化合物染料」を「Ｎｉピリジルアゾナフトール、Ｃｕピリジルアゾナフトール、Ｎｉナフトールアゾイミダゾール、Ｎｉピリジルアゾキノリン」に限定したものであるから、上記補正事項は、いわゆる特許請求の範囲の限定的減縮を目的としたものである。
　そこで次に、補正後の請求項１に記載された事項により特定される発明（以下、「本願補正発明」という。）が、特許出願の際独立して特許を受けることができるか否かについて検討する。
　
２−２．独立特許要件
　
２−２−１．引用例の記載
　
　本願の優先権の基礎とされた先の出願前に日本国内又は外国において、頒布された刊行物である特開２００２−８０７６６号公報（以下、「引用例」という。）には、次の記載がある。
　
【０００７】　・・・（前略）・・・　別の技術は、通常の又はダークインクの着色剤装填量(colorant loadings)５−２５％でライトマゼンタ又はシアンのような付加的ライトインクを使用することである。この技術によって、より大きい低着色剤装填量の液滴の使用が可能となる。　・・・（後略）・・・
　
【００１９】本発明の第１の実施例において、本発明は、高耐光性のマゼンタ染料を含有しているライトマゼンタインクから成るインクジェットプリント用の１組のインクジェットインクと、該インクをインクジェットにより噴射するステップを包含するインクジェットプリントの方法とに関する。好ましい実施例では、このセットと方法は、さらに、高色度のマゼンタ染料を含むダークマゼンタインクを包含する。　・・・（後略）・・・
　
【００２１】このセットと方法のより好ましい実施例では、マゼンタ、シアン及びイエローインクの各々は、約０．１〜約５ｗｔ％（重量％）の染料を含み；そしてさらにより好ましい実施例では、マゼンタ、シアン及びイエローインクの各々は、約２．５〜約５ｗｔ％の染料を含む。
　
【００４０】上述のセットと方法の別の好ましい実施例では、高耐光性マゼンタ染料は、４−ヒドロキシ−３−(２'−ピリジルアゾ)−１−(スルホ置換)ナフタレンマゼンタ染料リガンドであり；そしてより好ましい実施例では、染料リガンドは、４−ヒドロキシ−３−(２'−ピリジルアゾ)−１−ナフタレンスルホン酸；４−ヒドロキシ−３−(２'−ピリジルアゾ)−１−ナフタレンスルホンアミド；Ｎ−置換−４−ヒドロキシ−３−(２'−ピリジルアゾ)−１−ナフタレンスルホンアミド；Ｎ，Ｎ'−ビス(置換)−４−ヒドロキシ−３−(２'−ピリジルアゾ)−１−ナフタレンスルホンアミド；及びそれらの混合物から成る群から選択されるものである。
【００４１】上述のセットと方法のさらに好ましい実施例では、高耐光性マゼンタ染料は、鉄、ニッケル、銅、コバルト、亜鉛、及びクロムから成る群から選択される多価遷移金属に配位された染料リガンドである。
　
【００６４】別の実施例において、本発明は、高耐光性のブラック染料を含有しているライトブラックインクから成るインクジェット印刷用の１組のインクジェットインクと、該インクをインクジェットにより射出するステップを包含するインクジェット印刷の方法とに関する。好ましい実施例では、このセットと方法は、さらに、高光学濃度のブラック染料を含むダークブラックインクを包含する。
　
【００６７】このセットと方法のより好ましい実施例では、ブラック、マゼンタ、シアン及びイエローインクの各々は、約０．１〜約５ｗｔ％の染料を含み；そしてさらにより好ましい実施例では、ブラック、マゼンタ、シアン及びイエローインクの各々は、約２．５〜約５ｗｔ％の染料を含む。
　
２−２−２．引用発明の認定
　
　引用例には、インクジェットインクセットにおいて、通常（＝ダーク）インクの５〜２５％の着色剤を含有するライトインクを付加的に使用すること（段落０００７）が記載されており、その実施例である、高耐光性マゼンタ染料から成るライトマゼンタインクと、２．５〜５ｗｔ％の染料を含むダークマゼンタインクを有するインクジェットインクセット（段落００１９，００２１）について、該高耐光性マゼンタ染料が、４−ヒドロキシ−３−(２'−ピリジルアゾ)−１−(スルホ置換)ナフタレンマゼンタ染料リガンドであり（段落００４０）、さらに鉄、ニッケル、銅、コバルト、亜鉛、及びクロムから成る群から選択される多価遷移金属に配位された染料リガンドであること（段落００４１）が記載されている。
　また、別の実施例として、高耐光性ブラック染料から成るライトブラックマゼンタインクと、２．５〜５ｗｔ％の染料を含むダークブラックインクを有するインクジェットインクセット（段落００６４，００６７）も記載されている。
　してみると、引用例には、次の発明（以下、「引用発明」という。）が記載されていると認められる。
　
「インクジェットインクセットであって、ライトインクとダークインクを有し、ライトインクとダークインクの色が同一色であって、マゼンタ又はブラックから選択され、ライトインクが、高耐光性を有し、ダークインクの染料含有量が２．５〜５ｗｔ％であり、ライトインクの染料含有量がダークインクの５〜２５％（すなわち、０．１２５〜１．２５ｗｔ％）であり、ライトインクが、マゼンタ染料である場合には、鉄、ニッケル、銅、コバルト、亜鉛、及びクロムから成る群から選択される多価遷移金属に配位された４−ヒドロキシ−３−(２'−ピリジルアゾ)−１−(スルホ置換)ナフタレンマゼンタ染料リガンドを含む、インクジェットインクセット。」
　
２−２−３．対比・判断
　
　本願補正発明と引用発明を対比すると、引用発明の「インクジェットインクセット」「ライトインク」「ダークインク」「高耐光性」「ニッケル、銅から成る群から選択される多価遷移金属に配位された４−ヒドロキシ−３−(２'−ピリジルアゾ)−１−(スルホ置換)ナフタレンマゼンタ染料リガンド」は、それぞれ、本願補正発明の「インクジェット印刷用（の）インクセット」「低染料含有量を有するインク」「高染料含有量を有する（別の）インク」「光褪色耐性」「Ｎｉピリジルアゾナフトール、Ｃｕピリジルアゾナフトールおよびこれらの混合物から選択されたもの」に相当する。
　してみると、本願補正発明は、「インクジェット印刷用のインクセットであって、低染料含有量を有するインク、および高染料含有量を有する別のインクを有しており、これらの低染料含有量のインクおよび高染料含有量のインクの色が同一色であって、該色が、マゼンタおよびブラックからなる群から選択され、該低染料含有量のインクが、光褪色耐性を有しており、前記低染料含有量が０．１〜２．０ｗｔ％であり、前記高染料含有量が２．０〜１０．０ｗｔ％であり、前記低染料含有量がライトマゼンタ染料含有量である場合には、該ライトマゼンタ染料含有量のインクが、Ｎｉピリジルアゾナフトール、Ｃｕピリジルアゾナフトールおよびこれらの混合物から選択されたものを含む、インクジェット印刷用インクセット。」である点で、引用発明と差異がない。
　したがって、本願補正発明は、引用例に記載された発明であるから、特許法第２９条第１項第３号に該当し、特許出願の際独立して特許を受けることができない。
　
２−３．まとめ
　
　以上のとおり、上記補正事項を有する本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明の認定
　
　本件補正は却下されたので、本願の請求項１に係る発明（以下、「本願発明」という。）は、平成２３年３月１４日付けで手続補正された特許請求の範囲の請求項１に記載された事項（「２−１．」−補正前−参照）により特定されたとおりのものと認められる。
　
４．原査定の理由
　
　原審拒絶査定の理由の一つは、
「本願発明は、引用例に記載された発明であるから、特許法第２９条第１項第３号に該当し、特許を受けることができない。」
というものである。
　
５．当審の判断
　
　上述したように、本願発明を限定した本願補正発明（「２−１．」参照）が、引用例に記載された発明である（「２−２．」参照）のだから、本願発明もまた、引用例に記載された発明であることは明らかである。
　
６．むすび
　
　以上のとおり、本願発明は、特許法第２９条第１項第３号に該当し、特許を受けることができない。
　したがって、本願は、原査定の理由により拒絶すべきものである。
　よって、結論のとおり審決する。